(57)【要約】【課題】この発明は帯状床板を利用者の背面の凹凸形状に応じて確実に上下方向及び揺動方向に変位させることができるようにしたベッド装置を提供することにある。【解決手段】ベッドフレーム１の側板の内面に設けられた支持孔を有する一対の支持部材６と、支持孔に上下方向及び揺動方向に移動可能に挿入される支軸１１が設けられたブラケット９と、ベッドフレームの幅方向の対応する各一対のブラケットにそれぞれ両端部が取付けられた平坦な帯状床板２４と、ベッドフレームの幅方向両端部に長手方向に沿って所定の張力で張設された一対のワイヤ１７と、ブラケットに設けられワイヤを挟持してブラケットをワイヤの張力に抗してワイヤとともに下降方向及び帯状床板の幅方向に沿う揺動方向に変位可能とする上部ローラ１３と、ブラケットの両側に設けられブラケットがワイヤを撓ませながら下降方向に変位したときにワイヤの撓みが隣りに位置する他のブラケットに伝わるのを阻止する下部ローラ１８とを具備する。【選択図】      図３
2006263295.tif 000002
【特許請求の範囲】
【請求項１】
平行に離間対向する一対の側板を有するベッドフレームと、
各側板の内面にそれぞれ設けられ上記ベッドフレームの長手方向に対して所定間隔で複数の支持孔が形成された一対の支持部材と、
上記支持孔に上下方向及び揺動方向に移動可能に挿入される支軸が設けられたブラケットと、
上記ベッドフレームの幅方向の対応する各一対のブラケットにそれぞれ両端部が取付けられた平坦な帯状床板と、
上記ベッドフレームの幅方向両端部にこのベッドフレームの長手方向に沿って所定の張力で張設された一対のワイヤと、
上記ブラケットに設けられ上記ワイヤを挟持して上記ブラケットを上記ワイヤの張力に抗してこのワイヤとともに下降方向及び上記帯状床板の幅方向に沿う揺動方向に変位可能とする第１の挟持手段と、
上記ブラケットの両側に設けられそのブラケットが上記ワイヤを撓ませながら下降方向に変位したときに上記ワイヤの撓みが隣りに位置する他のブラケットに伝わるのを阻止する第２の挟持手段と
を具備したことを特徴とするベッド装置。
【請求項２】
上記第１の挟持手段は、上記ワイヤの上方に位置するとともに上記ブラケットに回転可能に支持された上部ローラと、この上部ローラの下方に設けられこの上部ローラの外周面とで上記ワイヤを挟持する第１の押え部材とによって構成されていることを特徴とする請求項１記載のベッド装置。
【請求項３】
上記第２の挟持手段は、上記ワイヤの下方に位置し上記支持部材の上記ブラケットの幅方向両側の部分に回転可能に設けられた下部ローラと、この下部ローラの上方に設けられこの下部ローラの外周面とで上記ワイヤを挟持する第２の押え部材とからなる第２の挟持手段が設けられていることを特徴とする請求項１記載のベッド装置。
【請求項４】
上記ワイヤは、一端が上記支持部材の長手方向一端に連結され、他端にはこのワイヤに張力を与える張力付与手段が設けられていることを特徴とする請求項１記載のベッド装置。
【請求項５】
上記一対の側板の内面には受け桟が長手方向に沿って設けられ、
上記支持部材は上記支持孔が形成された下辺と上記受け桟に係合する上辺とを有し、一対の支持部材は上記ベッドフレームの一対の側板とほぼ同じ間隔で連結されていて、上記上辺を上記受け桟に着脱可能に係合させて設けられることを特徴とする請求項１記載のベッド装置。
【発明の詳細な説明】
【技術分野】
【０００１】
この発明はベッドフレームに架設された複数の帯状床板によってマットレスを支持するベッド装置に関する。
【背景技術】
【０００２】
一般にベッド装置は、ベッドフレームを有し、このベッドフレームの一対の側板間には床板が支持され、この床板にマットレスを載置するようにしている。ベッド装置の性能、とくにクッション性能を向上させるため、上記床板を複数の帯状床板に分割し、これら帯状床板をたとえば上方に向かって凸に湾曲させるとともに、その両端部を一対の側板の内面に設けられた受け桟にスライド可能に支持するようにしている。
【０００３】
それによって、上記各帯状床板にマットレスを介して利用者の荷重が加われば、各帯状床板は荷重に応じて下降方向へ弾性変形するから、クッション性能の向上を図ることができるという利点を有する。
【０００４】
上記帯状床板を荷重に応じて弾性変形可能とするため、上記受け桟に一端面が開口した箱型状の受け具を設け、この受け具に上記帯状床板の端部をスライド可能に挿入支持するということが行われている。
【０００５】
一方、上記帯状床板を単に利用者の背面の凹凸形状に応じた荷重分布によって下降方向に弾性変形させるだけでなく、利用者の背面の凹凸形状に応じて幅方向に揺動させるということも行われている。その場合、上記受け具の上記帯状床板の端部が挿入支持された部分を幅方向である、ベッドフレームの長手方向に揺動できる構成にしている。
【発明の開示】
【発明が解決しようとする課題】
【０００６】
ところで、上述した構成によると、帯状床板を荷重に応じて弾性変形できるようにするためには、帯状床板を上方に向かって凸に湾曲させなければならないとともに、その両端をスライド可能に支持しなければならない。
【０００７】
帯状床板を凸状に湾曲させると、これら帯状床板の上面に載置されるマットレスは平坦であるから、マットレスを安定した状態で支持することができないということがある。しかも、帯状床板は中央部分が両端部分に比べて荷重に対する変形量が大きくなるから、中央部分に比べて幅方向両端部のクッション性能が低下するということがある。つまり、ベッドフレームの有効使用幅寸法が小さくなるということがある。
【０００８】
さらに、帯状床板が弾性変形する際、その両端部が受け具に対してスライドする。スライド時には帯状床板の端部が受け具に対して摺動する。そのため、帯状床板が弾性変形する際、スライドによる騒音が発生して寝心地の低下を招くということもある。
【０００９】
さらに、帯状床板は両端部が受け具によって支持されているため、帯状床板が下降方向や揺動方向に変位する際、帯状床板の端部は支持具から抵抗を受けることになる。そのため、利用者の背面の凹凸形状に応じた帯状床板の下降方向や揺動方向への変位が円滑に行われ難いということがある。
【００１０】
この発明は、帯状床板を平坦とし、この帯状床板を利用者の背面の凹凸形状に応じた荷重分布によって確実に下降方向及び揺動方向に変位させることができるようにしたベッド装置を提供することにある。
【課題を解決するための手段】
【００１１】
この発明は、平行に離間対向する一対の側板を有するベッドフレームと、
各側板の内面にそれぞれ設けられ上記ベッドフレームの長手方向に対して所定間隔で複数の支持孔が形成された一対の支持部材と、
上記支持孔に下降方向及び揺動方向に移動可能に挿入される支軸が設けられたブラケットと、
上記ベッドフレームの幅方向の対応する各一対のブラケットにそれぞれ両端部が取付けられた平坦な帯状床板と、
上記ベッドフレームの幅方向両端部にこのベッドフレームの長手方向に沿って所定の張力で張設された一対のワイヤと、
上記ブラケットに設けられ上記ワイヤを挟持して上記ブラケットを上記ワイヤの張力に抗してこのワイヤとともに下降方向及び上記帯状床板の幅方向に沿う揺動方向に変位可能とする第１の挟持手段と、
上記ブラケットの両側に設けられそのブラケットが上記ワイヤを撓ませながら下降方向に変位したときに上記ワイヤの撓みが隣りに位置する他のブラケットに伝わるのを阻止する第２の挟持手段と
を具備したことを特徴とするベッド装置にある。
【００１２】
上記第１の挟持手段は、上記ワイヤの上方に位置するとともに上記ブラケットに回転可能に支持された上部ローラと、この上部ローラの下方に設けられこの上部ローラの外周面とで上記ワイヤを挟持する第１の押え部材とによって構成されていることが好ましい。
【００１３】
上記第２の挟持手段は、上記ワイヤの下方に位置し上記支持部材の上記ブラケットの幅方向両側の部分に回転可能に設けられた下部ローラと、この下部ローラの上方に設けられこの下部ローラの外周面とで上記ワイヤを挟持する第２の押え部材とからなる第２の挟持手段が設けられていることが好ましい。
【００１４】
上記ワイヤは、一端が上記支持部材の長手方向一端に連結され、他端にはこのワイヤに張力を与える張力付与手段が設けられていることが好ましい。
【００１５】
上記一対の側板の内面には受け桟が長手方向に沿って設けられ、
上記支持部材は上記支持孔が形成された下辺と上記受け桟に係合する上辺とを有し、一対の支持部材は上記ベッドフレームの一対の側板とほぼ同じ間隔で連結されていて、上記上辺を上記受け桟に着脱可能に係合させて設けられることが好ましい。
【発明の効果】
【００１６】
この発明によれば、平坦な帯状床板はブラケットを介して所定の張力で張設されたワイヤによって両端部が支持され、このワイヤを撓ませながら下降方向や揺動方向に変位する。そのため、各帯状床板は利用者の背面の凹凸形状に応じて加わる荷重に対して確実に下降方向及び揺動方向に変位することになる。
【発明を実施するための最良の形態】
【００１７】
以下、この発明の一実施の形態を図面を参照して説明する。  
図１と図２に示すベッド装置はベッドフレーム１を備えている。このベッドフレーム１は所定の間隔で平行に離間した一対の側板２の長手方向一端にヘッドボード３、他端にフットボード４を連結して形成されている。
【００１８】
図４に示すように、一対の側板２の内面には受け桟５が長手方向ほぼ全長にわたって設けられている。各受け桟５には支持部材６が着脱可能に係合支持されている。この支持部材６は図５と図６に示すように板材を側面形状がクランク状になるよう折曲して形成されている。つまり、支持部材６は垂直な中間辺６ａの上端と下端にそれぞれ水平な上辺６ｂと下辺６ｃとが設けられている。
【００１９】
一対の支持部材６は両端を中間辺６ａに固着した角筒状の複数の連結部材７（図３に示す）によって所定間隔、つまり一対の側板２とほぼ同じ間隔で連結固定されている。そして、一対の支持部材６は上辺６ｂを受け桟５に係合させてベッドフレーム１に着脱可能に支持されている。
【００２０】
上記支持部材６の下辺６ｃには長手方向に所定間隔で複数の支持孔、この実施の形態では６つの支持孔８（図５と図６に１つだけ示す）が所定間隔で形成されている。各支持孔８には側面形状がコ字状をなしたブラケット９の下面に設けられた支軸１１が挿入される。この支軸１１の外径寸法は上記支持孔８の内径寸法に比べて十分に小径に形成されている。それによって、上記ブラケット９は上下方向及び水平方向に対して変位可能な状態にある。
【００２１】
上記ブラケット９の中間部には一端部が固定された取付け軸１２が軸線を水平にして設けられている。この取付け軸１２はブラケット９の内面側に設けられている。取付け軸１２には上部ローラ１３が回転可能に取付けられている。この上部ローラ１３の外周面には周回溝１３ａが形成されている。上記上部ローラ１３の径方向下側には、上記ブラケット９の中間部に一端が固定された軸状の第１の押え部材１５が外周面を上記上部ローラ１３の外周面に接触若しくはわずかな間隔を介して設けられている。
【００２２】
上記上部ローラ１３と第１の押え部材１５との間には上記周回溝１４に通されてワイヤ１７が設けられている。このワイヤ１７は上記支持部材６の長手方向に沿って設けられている。上記上部ローラ１３は上記ワイヤ１７の上方に位置し、上記第１の押え部材１５とでワイヤ１７を挟持する、第１の挟持手段を形成している。
【００２３】
図３に示すように上記支持部材６には、隣り合う一対のブラケット９の間に外周面に上部ローラ１３と同様の周回溝１８ａが形成された下部ローラ１８が軸１９によって回転可能に支持されている。下部ローラ１８はワイヤ１７の下側に位置し、周回溝１８ａに上記ワイヤ１７を係合させている。
【００２４】
上記下部ローラ１８の径方向上側には、周回溝１８ａ係合したワイヤ１７を、この下部ローラ１８とで挟持する軸状の第２の押え部材２０が設けられている。この第２の押え部材２０は一端が上記支持部材６の中間辺６ａに取付け固定されている。上記下部ローラ１８と第２の押え部材２０とで上記ワイヤ１７を挟持する第２の挟持手段を形成している。
【００２５】
上記ワイヤ１７は図１に示すように両端部にループ部１７ａが形成されている。ワイヤ１７の一端のループ部１７ａは上記支持部材６のフットボード４側に位置する長手方向の一端に設けられたピン２１に係合している。
【００２６】
上記ワイヤ１７の他端はヘッドボード３側に位置する末端の下部ローラ１８から垂直方向下方に向かって導出され、その他端のループ部１７ａにはワイヤ１７に所定の張力を付与する張力付与手段としてのウエイト２２が連結されている。ウエイト２２としては利用者の体重とほぼ同じ重さ、たとえば６０〜８０ｋｇ程度のものが用いられる。
【００２７】
なお、ワイヤ１７に張力を付与する張力付与手段としてはウエイト２２に代わり、ワイヤ１７の末端とベッドフレーム１のたとえば側板２の内面との間にばねを張設するようにしてもよい。つまり、張力付与手段はワイヤ１７の所定の部分に荷重が加わった場合、その部分が荷重に対して反力を生じながら撓むことができるよう、上記ワイヤ１７に張力を与えることができるものであればよい。
【００２８】
図２に示すように、上記ベッドフレーム１の幅方向において対応する位置にある、各一対の合計で６組のブラケット９には所定の幅寸法に形成された帯状床板２４が両端部をそれぞれブラケット９の上面に取付けて架設されている。
【００２９】
帯状床板２４は木材や合成樹脂などのように荷重に対して折れることのない弾力性を備えた材料によって平坦な帯状に形成されている。つまり、ブラケット９によって両端が支持された帯状床板２４は、このブラケット９とともに上下方向及び揺動方向に変位可能となっている。
【００３０】
一対の支持部材６の長手方向一端と他端とには平坦な帯状の固定床板２５が両端を上記支持部材６の上辺６ｂに上記帯状床板２４と同じ高さになるようスペーサ２６を介して架設されている。そして、上記帯状床板２４と固定床板２５との上面には図１、図３及び図４に鎖線で示すマットレス２７が載置され、このマットレス２７上に利用者が仰臥する。
【００３１】
このような構成のベッド装置によれば、マットレス２７の上面に利用者が仰臥すると、その利用者の背面の凹凸形状に応じた荷重がマットレス２７を介して帯状床板２４から、この帯状床板２４の両端に設けられたブラケット６に伝わる。ブラケット６に荷重が伝わると、このブラケット６に設けられた上部ローラ１３がワイヤ１７を押圧する。ワイヤ１７は一端がベッドフレーム１に固定されているが、他端にはウエイト２２が設けられて張力が付与されている。
【００３２】
そのため、上部ローラ１３は、ブラケット６とともにウエイト１７によって付与された張力に抗しながらワイヤ１７の上部ローラ１３に係合した部分を下方へ撓ませながら変位する。つまり、６枚の帯状床板２４は、マットレス２７に加わる利用者の背面の凹凸形状に対応する荷重分布（圧力分布）に応じて下方へ変位する。
【００３３】
つまり、マットレス２７上に利用者が仰臥すれば、６枚の帯状床板２４は利用者の背面の凹凸形状に応じて変位して利用者を支持するから、利用者は背筋の伸びた寝姿勢を維持することができる。各帯状床板２４が下方へ変位してワイヤ１７を下方へ撓ませると、その撓み量に応じてウエイト２２が上昇するから、各床板２４の下方への変位が制限されるということがない。
【００３４】
ブラケット９に設けられた支軸１１は支持部材６の下辺６ｃに形成された、この支軸１１よりも大径な支持孔８によって支持されている。そのため、各ブラケット９は上下方向に変位可能なだけでなく、ベッドフレーム１の前後方向に沿って揺動可能となっている。そのため、各帯状床板２４は利用者の背面の凹凸形状に応じて下方へ変位するだけでなく、背面の凹凸形状に応じてブラケット９とともに前後方向に揺動するから、利用者の背面を、その背面にフィットして確実に支持することができる。
【００３５】
ブラケット９に設けられた支軸１１が支持部材６の下辺６ｃに形成された支持孔８に支持されていることで、上記ブラケット９の揺動角度が制限される。つまり、帯状床板２４が前後方向に必要以上に揺動しすぎるのが防止される。
【００３６】
各ブラケット９の幅方向両側には下部ローラ１８が設けられ、この下部ローラ１８と第２の押さえ部材２０とでワイヤ１７の各ブラケット９の幅方向両側の部分を挟持している。そのため、ブラケット９が利用者の荷重で下方へ変位し、その変位に応じてワイヤ１７の上部ローラ１３と第１の押さえ部材１５とで挟持された部分が下方へ撓んでも、そのワイヤ１７の撓みは上記ブラケット９の幅方向両側に設けられた一対の下部ローラ１８間の部分に制限される。
【００３７】
つまり、各ブラケット９の幅方向両側に設けられた一対の下部ローラ１８によってワイヤ１７の撓みが制限されている。そのため、１つのブラケット９がワイヤ１７を撓ませながら下方へ変位しても、そのワイヤ１７の撓みが隣に位置する他のブラケット９に影響を及ぼすことがない。つまり、各ブラケット９はそれぞれが受ける荷重に応じて独立して下方へ変位するから、そのことによっても各帯状床板２４は利用者の背面の凹凸形状に応じて確実に変位して利用者を支持することができる。
【００３８】
帯状床板２４の下方への変位は、ワイヤ１７の張力に抗して行われる。ワイヤ１７にはウエイト２２によって張力が付与されている。そのため、上記ウエイト２２の重量を利用者の体重とほぼ同じに設定しておけば、６枚の帯状床板２４に加わる利用者の荷重と、ウエイト２２によって与えられるワイヤ１７の張力とをバランスさせることができる。
【００３９】
利用者の荷重と、ワイヤ１７の張力とがバランスしていれば、利用者が寝返りを打ったときなどには各帯状床板２４が上下方向に緩やかに変位する。そのため、マットレス２７を介しての各帯状床板２４による利用者の支持状態が急激に変化するのを防止できるから、そのことによっても良好な寝心地が得られることになる。
【図面の簡単な説明】
【００４０】
【図１】この発明の一実施の形態を示すベッド装置の長手方向に沿う断面図。
【図２】ベッド装置の平面図。
【図３】ベッドフレームの側板の内面の一部の拡大図。
【図４】ベッド装置の幅方向に沿う断面図。
【図５】側板の内面に設けられた支持部材とブラケットを拡大して示す正面図。
【図６】上記支持部材とブラケットとの断面図。
【符号の説明】
【００４１】
１…ベッドフレーム、２…側板、５…受け桟、６…支持部材、８…支持孔、１１…支軸、１３…上部ローラ（第１の挟持手段）、１５…第１の押え部材（第１の挟持手段）、１７…ワイヤ、１８…下部ローラ（第２の挟持手段）、２０…第２の押え部材（第２の挟持手段）、２２…ウエイト（張力付与手段）、２４…帯状床板、２７…マットレス。
【図１】
2006263295.tif 000003
【図２】
2006263295.tif 000004
【図３】
2006263295.tif 000005
【図４】
2006263295.tif 000006
【図５】
2006263295.tif 000007
【図６】
2006263295.tif 000008